(57)【特許請求の範囲】
【請求項１】
長手方向と、前記長手方向と交差する幅方向と、を有した使い捨ておむつであって、
液体を吸収する吸収体と、
前記幅方向の両側部に位置するサイドフラップと、
前記サイドフラップの肌側シートとバックシートの間に設けられ、前記肌側シート及び前記バックシートに伸縮性を付与することによってレッグギャザーを構成する伸縮部材と、
を有し、
前記長手方向において、前部と、股下部と、後部とを備え、
前記サイドフラップの前記幅方向外側の端縁部は、前記幅方向外側に凸となった凸部と前記幅方向外側に凹となった凹部とが前記長手方向において交互に繰り返される蛇行状の蛇行状部分を備え、
前記蛇行状部分は、前記股下部の領域において、前記長手方向に沿った前記凸部及び前記凹部を備え、
前記伸縮部材は、前記幅方向において、
前記伸縮部材のうちの最も外側に位置する部分が、前記股下部の領域における前記凹部の凹部頂点から、当該凹部頂点と前記股下部の領域における前記凸部の凸部頂点との前記幅方向における頂点間距離だけ内側に位置する内側位置、又は、該内側位置よりもさらに内側に設けられていることを特徴とする使い捨ておむつ。
【請求項２】
請求項１に記載の使い捨ておむつであって、
前記サイドフラップは、防漏シートが設けられた防漏シート設置部と、該防漏シート設置部よりも前記幅方向外側に位置する防漏シート非設置部と、を備え、
前記防漏シート設置部と前記防漏シート非設置部との境界は、前記凹部頂点よりも前記幅方向内側に位置し、かつ、前記凹部頂点と前記境界との前記幅方向における頂点境界間距離は、前記頂点間距離の２倍以上であり、
前記伸縮部材は、前記幅方向において、
前記凹部頂点と前記境界の前記幅方向における真ん中と、前記境界と、の間に設けられていることを特徴とする使い捨ておむつ。
【請求項３】
請求項１に記載の使い捨ておむつであって、
前記長手方向に沿って形成され、支点を有するレッグサイドギャザーを有し、
前記支点は、前記肌側シートが前記長手方向に沿って接合される接合部であり、
前記サイドフラップは、防漏シートが設けられた防漏シート設置部と、該防漏シート設置部よりも前記幅方向外側に位置する防漏シート非設置部と、を備え、
前記防漏シート設置部と前記防漏シート非設置部との境界は、前記凹部頂点よりも前記幅方向内側に位置し、
前記支点は、前記境界よりも、前記幅方向内側に位置し、
前記伸縮部材は、前記幅方向において、
前記境界と前記支点との間に設けられていることを特徴とする使い捨ておむつ。
【請求項４】
請求項１に記載の使い捨ておむつであって、
前記長手方向に沿って形成され、支点を有するレッグサイドギャザーを有し、
前記支点は、前記肌側シートが前記長手方向に沿って接合される接合部であり、
前記伸縮部材は、前記幅方向において、
前記支点よりも内側に設けられていることを特徴とする使い捨ておむつ。
【請求項５】
請求項４に記載の使い捨ておむつであって、
前記レッグサイドギャザーは、前記支点よりも前記幅方向内側に位置する内側頂点を有し、
前記レッグサイドギャザーの前記支点から前記内側頂点までの部分のうちの支点寄り部分は、一層のみのシートからなることを特徴とする使い捨ておむつ。
【請求項６】
請求項４又は請求項５に記載の使い捨ておむつであって、
前記レッグサイドギャザーは、前記支点よりも前記幅方向内側に位置する内側頂点を有し、
前記支点と前記内側頂点との前記幅方向における支点内側頂点間距離は、前記支点と前記凸部頂点との前記幅方向における支点凸部頂点間距離よりも大きいことを特徴とする使い捨ておむつ。
【請求項７】
請求項１乃至請求項６のいずれかに記載の使い捨ておむつであって、
前記蛇行状部分は、長手方向蛇行状部分であり、
前記サイドフラップは、前記使い捨ておむつを着用する際に着用者の腹側に位置する前部と、着用者の背側に位置する後部と、前記前部及び前記後部との間に位置する股下部と、を有し、
前記後部には、前記幅方向外側に向かって突出し、前記長手方向に沿った後部最外端を備える後部突出部が、設けられており、
前記後部突出部には、ファスニングテープが取り付けられており、
前記端縁部は、前記後部最外端のうち前記長手方向において最も前部側の前部側端と、前記長手方向蛇行状部分との間に、前記凸部と前記凹部とが前記長手方向に対して斜めの方向において交互に繰り返される蛇行状の非長手方向蛇行状部分を備え、
前記伸縮部材の後部側の端は、前記長手方向において、
前記前部側端よりも後部側かつ前記ファスニングテープよりも前部側に位置していることを特徴とする使い捨ておむつ。
【請求項８】
請求項１乃至請求項７のいずれかに記載の使い捨ておむつであって、
前記サイドフラップは、前記使い捨ておむつを着用する際に着用者の腹側に位置する前部と、着用者の背側に位置する後部と、前記前部及び前記後部との間に位置する股下部と、を有し、
前記前部には、前記幅方向外側に向かって突出し、前記長手方向に沿った前部最外端を備える前部突出部が、設けられており、
前記伸縮部材の前部側の端は、前記長手方向において、
前記前部最外端のうち前記長手方向において最も後部側の後部側端よりも後部側に位置していることを特徴とする使い捨ておむつ。
【発明の詳細な説明】
【技術分野】
【０００１】
本発明は、使い捨ておむつに関する。
【背景技術】
【０００２】
従来オープンタイプの使い捨ておむつが広く用いられている。このようなオープンタイプの使い捨ておむつは、着脱の容易性などから、特に新生児及び乳幼児に広く用いられている。
【先行技術文献】
【特許文献】
【０００３】
【特許文献１】特開平１１−４７１８９
【発明の概要】
【発明が解決しようとする課題】
【０００４】
オープンタイプの使い捨ておむつでは、着脱が容易である一方、着用時における脚繰り部分の肌触りが問題となることがある。特に、着用者に使い捨ておむつを着用させた際に、脚繰り部分のフィット性が高くなった場合には、着用者が不快に感じる場合がある。
【０００５】
本発明は、上記のような問題に鑑みてなされたものであって、その目的とするところは、良好な肌触りを有する使い捨ておむつを提供することにある。
【課題を解決するための手段】
【０００６】
上記目的を達成するための主たる発明は、  長手方向と、前記長手方向と交差する幅方向と、を有した使い捨ておむつであって、
液体を吸収する吸収体と、
前記幅方向の両側部に位置するサイドフラップと、
前記サイドフラップの肌側シートとバックシートの間に設けられ、前記肌側シート及び前記バックシートに伸縮性を付与することによってレッグギャザーを構成する伸縮部材と、
を有し、
前記長手方向において、前部と、股下部と、後部とを備え、
前記サイドフラップの前記幅方向外側の端縁部は、前記幅方向外側に凸となった凸部と前記幅方向外側に凹となった凹部とが前記長手方向において交互に繰り返される蛇行状の蛇行状部分を備え、
前記蛇行状部分は、前記股下部の領域において、前記長手方向に沿った前記凸部及び前記凹部を備え、
前記伸縮部材は、前記幅方向において、
前記伸縮部材のうちの最も外側に位置する部分が、前記股下部の領域における前記凹部の凹部頂点から、当該凹部頂点と前記股下部の領域における前記凸部の凸部頂点との前記幅方向における頂点間距離だけ内側に位置する内側位置、又は、該内側位置よりもさらに内側に設けられていることを特徴とする使い捨ておむつである。
【０００７】
本発明の他の特徴については、本明細書及び添付図面の記載により明らかにする。
【発明の効果】
【０００８】
本発明によれば、良好な肌触りを有する使い捨ておむつを提供することができる。
【図面の簡単な説明】
【０００９】
【図１】本実施の形態に係るおむつ１の展開平面図である。
【図２】図２Ａ〜図２Ｃは、本実施の形態に係るおむつ１の各部の分解説明図である。図２Ａは、前部３の分解説明図である。図２Ｂは、股下部５の分解説明図である。図２Ｃは、後部７の分解説明図である。
【図３】着用時におけるおむつ１の形態を示した正面図である。
【図４】着用時におけるおむつ１の形態を示した側面図である。
【図５】本実施の形態に係るサイドフラップ１４及びその周辺の構成を説明する概略平面図である。
【図６】本実施の形態に係るサイドフラップ１４の端縁部１４Ｌｇについて拡大して表した図である。
【図７】本実施の形態に係る糸ゴム２７の配置により生ずる優位性を説明するための第一説明模式図である。
【図８】本実施の形態に係る糸ゴム２７の配置により生ずる優位性を説明するための第二説明模式図である。
【図９】第二実施形態に係るサイドフラップ１４及びその周辺の構成を説明する概略平面図である。
【図１０】第三実施形態に係るサイドフラップ１４及びその周辺の構成を説明する概略平面図である。
【発明を実施するための形態】
【００１０】
本明細書及び添付図面の記載により、少なくとも以下の事項が明らかとなる。
【００１１】
長手方向と、前記長手方向と交差する幅方向と、を有した使い捨ておむつであって、
液体を吸収する吸収体と、
前記幅方向の両側部に位置するサイドフラップと、
前記長手方向に沿って伸縮する伸縮部材と、
を有し、
前記サイドフラップの前記幅方向外側の端縁部は、前記幅方向外側に凸となった凸部と前記幅方向外側に凹となった凹部とが前記長手方向において交互に繰り返される蛇行状の蛇行状部分を備え、
前記伸縮部材は、前記幅方向において、
前記凹部の凹部頂点から、前記凹部頂点と前記凸部の凸部頂点との前記幅方向における頂点間距離だけ内側に位置する内側位置、又は、該内側位置よりもさらに内側に設けられていることを特徴とする使い捨ておむつ。
【００１２】
このような使い捨ておむつによれば、凸部稜線を有する山部のみならず、凹部稜線を有する山部によっても、十分なクッション効果が得られ、良好な肌触りを有する使い捨ておむつを提供することが可能となる。
【００１３】
かかる使い捨ておむつであって、
前記伸縮部材は、糸ゴムであることが望ましい。
【００１４】
このような使い捨ておむつによれば、使い捨ておむつへの伸縮部材の接合面積が最小で済むため、肌触りへの影響も最小にすることができる。そのため、より一層良好な肌触りを有する使い捨ておむつを提供することが可能となる。
【００１５】
かかる使い捨ておむつであって、
前記サイドフラップは、防漏シートが設けられた防漏シート設置部と、該防漏シート設置部よりも前記幅方向外側に位置する防漏シート非設置部と、を備え、
前記防漏シート設置部と前記防漏シート非設置部との境界は、前記凹部頂点よりも前記幅方向内側に位置し、かつ、前記凹部頂点と前記境界との前記幅方向における頂点境界間距離は、前記頂点間距離の２倍以上であり、
前記糸ゴムは、前記幅方向において、
前記凹部頂点と前記境界の前記幅方向における真ん中と、前記境界と、の間に設けられていることが望ましい。
【００１６】
このような使い捨ておむつによれば、より長い凹部稜線を有する山部を生成することが可能となる。したがって、より適切なクッション効果を肌に与えることができ、より一層良好な肌触りを有する使い捨ておむつを提供することが可能となる。
【００１７】
かかる使い捨ておむつであって、
前記長手方向に沿って形成され、支点を有するレッグサイドギャザーを有し、
前記サイドフラップは、防漏シートが設けられた防漏シート設置部と、該防漏シート設置部よりも前記幅方向外側に位置する防漏シート非設置部と、を備え、
前記防漏シート設置部と前記防漏シート非設置部との境界は、前記凹部頂点よりも前記幅方向内側に位置し、
前記支点は、前記境界よりも、前記幅方向内側に位置し、
前記糸ゴムは、前記幅方向において、
前記境界と前記支点との間に設けられていることが望ましい。
【００１８】
このような使い捨ておむつによれば、排泄物が、支点を越えて製品幅方向外側へ移動したとしても、糸ゴムまでの間に、防漏シートが存在するため、排泄物は、漏れることなく糸ゴムに到達し、糸ゴムでブロックされることとなる。そのため、液漏れを適切に防止することが可能となる。
【００１９】
かかる使い捨ておむつであって、
前記長手方向に沿って形成され、支点を有するレッグサイドギャザーを有し、
前記糸ゴムは、前記幅方向において、
前記支点よりも内側に設けられていることが望ましい。
【００２０】
このような使い捨ておむつによれば、レッグサイドギャザーの様子を外部から適切に目視確認することが可能となる。そのため、使い捨ておむつが着用された状態で、着用者を不用意に動かさずに、排泄物のチェックが行えるようになる。
【００２１】
かかる使い捨ておむつであって、
前記レッグサイドギャザーは、前記支点よりも前記幅方向内側に位置する内側頂点を有し、
前記レッグサイドギャザーの前記支点から前記内側頂点までの部分のうちの支点寄り部分は、一層のみのシートからなることが望ましい。
【００２２】
このような使い捨ておむつによれば、支点寄り部分は、最初に排泄物が見える場所であるため、当該支点寄り部分を一層のみのシートとすることにより、排泄物のチェックがより一層容易に行えるようになる。
【００２３】
かかる使い捨ておむつであって、
前記レッグサイドギャザーは、前記支点よりも前記幅方向内側に位置する内側頂点を有し、
前記支点と前記内側頂点との前記幅方向における支点内側頂点間距離は、前記支点と前記凸部頂点との前記幅方向における支点凸部頂点間距離よりも大きいことが望ましい。
【００２４】
このような使い捨ておむつによれば、サイドフラップの幅方向外側の端縁部よりも外側に飛び出す部分が、レッグサイドギャザーの少なくとも一部分に生ずるため、当該一部分は特に排泄物が見え易い場所となる。そのため、排泄物のチェックがより一層容易に行えるようになる。
【００２５】
かかる使い捨ておむつであって、
前記蛇行状部分は、長手方向蛇行状部分であり、
前記サイドフラップは、前記使い捨ておむつを着用する際に着用者の腹側に位置する前部と、着用者の背側に位置する後部と、前記前部及び前記後部との間に位置する股下部と、を有し、
前記後部には、前記幅方向外側に向かって突出し、前記長手方向に沿った後部最外端を備える後部突出部が、設けられており、
前記後部突出部には、ファスニングテープが取り付けられており、
前記端縁部は、前記後部最外端のうち前記長手方向において最も前部側の前部側端と、前記長手方向蛇行状部分との間に、前記凸部と前記凹部とが前記長手方向に対して斜めの方向において交互に繰り返される蛇行状の非長手方向蛇行状部分を備え、
前記糸ゴムの後部側の端は、前記長手方向において、
前記前部側端よりも後部側かつ前記ファスニングテープよりも前部側に位置していることが望ましい。
【００２６】
このような使い捨ておむつによれば、非長手方向蛇行状部分に設けられた凹部についても凹部稜線を有する山部を作り出すことができるので、より適切なクッション効果を肌に与えることができ、より一層良好な肌触りを有するおむつを提供することが可能となる。また、ファスニングテープに余計なしわ（皺）ができることが回避され、ファスニングテープの機能が損なわれることを防止することが可能となる。
【００２７】
かかる使い捨ておむつであって、
前記サイドフラップは、前記使い捨ておむつを着用する際に着用者の腹側に位置する前部と、着用者の背側に位置する後部と、前記前部及び前記後部との間に位置する股下部と、を有し、
前記前部には、前記幅方向外側に向かって突出し、前記長手方向に沿った前部最外端を備える前部突出部が、設けられており、
前記糸ゴムの前部側の端は、前記長手方向において、
前記前部最外端のうち前記長手方向において最も後部側の後部側端よりも後部側に位置していることが望ましい。
【００２８】
このような使い捨ておむつによれば、ファスニングテープの係合可能領域に余計なしわ（皺）ができることが回避され、ファスニングテープの機能が損なわれることを防止することが可能となる。
【００２９】
＝＝＝本実施の形態に係る使い捨ておむつについて＝＝＝
本実施の形態の使い捨ておむつ（以下、単におむつ１とも呼ぶ）は、主に新生児や乳幼児を着用対象とした使い捨ておむつであり、体重が３０００ｇ以下の低体重児、特に体重が２５００ｇ未満の低出生体重児に好適に用いられる。なお、低体重児には、低出生体重児（体重２５００ｇ未満）だけでなく、極低出生体重児用（体重１５００ｇ未満）や超低出生体重児用（体重１０００ｇ未満）も含まれる。
【００３０】
図１は、本実施の形態に係るおむつ１の展開平面図である。図２Ａ〜図２Ｃは、本実施の形態に係るおむつ１の各部の分解説明図である。図２Ａは、前部３の分解説明図である。図２Ｂは、股下部５の分解説明図である。図２Ｃは、後部７の分解説明図である。図３は、着用時におけるおむつ１の形態を示した正面図である。図４は、着用時におけるおむつ１の形態を示した側面図である。
【００３１】
本実施の形態のおむつ１は、所謂オープンタイプの使い捨ておむつであり、図１に示すように、前部３と、股下部５と、後部７とを有する。前部３は、着用者の前部（腹側、前胴回り）に位置することになる部分である。また、後部７は、着用者の後部（背側、後胴回り）に位置することになる部分である。股下部５は、前部３と後部７との間に位置することになる部分である。
【００３２】
以下の説明では、図１に示すように、各方向を定義する。すなわち、前部３から後部７に向かう方向を「製品長手方向Ｌ」とし、製品長手方向Ｌと直交する方向を「製品幅方向Ｗ」とする。図１に示されているＣＬは、製品長手方向Ｌにおけるおむつ１の中心を示す線である。また、図２に示すように、製品長手方向Ｌ及び製品幅方向Ｗと直交する方向を「厚さ方向」とし、着用者の肌の側を「肌側」とし、その逆側を「非肌側」とする。
【００３３】
おむつ１は、中央帯状領域１２と、サイドフラップ１４と、レッグサイドギャザー１６と、ウェストギャザー１８とを有する。一対のサイドフラップ１４には、ファスニングテープ３０がそれぞれ取り付けられている。
【００３４】
中央帯状領域１２は、前部３、股下部５及び後部７によって構成された製品幅方向Ｗの中央部に位置する帯状の領域である（図１参照）。中央帯状領域１２は、着用者によって排泄された尿等の液体を吸収し保持する部位である。中央帯状領域１２は、液保持性の吸収体２１を含む縦長の形状（製品長手方向Ｌに沿った形状）を有する。中央帯状領域１２は、主に、吸収体２１、トップシート２２、防漏シート２３及びバックシート２４を有する（図２Ａ〜図２Ｃ参照）。
【００３５】
吸収体２１は、尿等の排泄物を吸収することが可能な液体吸収性素材を積層してなる部材であり、前部３、股下部５及び後部７にわたって配置されている。図１の網掛け部で表示された領域は、吸収体２１の占める領域を示している。吸収体２１は、製品長手方向Ｌの中央部における幅が狭くなるような砂時計形状を有する。但し、吸収体２１の形状は、図１に示す形状に限定されず、単純な長方形であっても良い。また、吸収体２１は、少なくとも股下部５に設けられていれば良い。吸収体２１は、トップシート２２及び防漏シート２３に挟まれて配置されている。吸収体２１を構成する液体吸収性素材としては、例えばパルプ繊維等の液体吸収性繊維や、高吸収性ポリマー等の液体吸収性粒状物を使用することができる。また、液体吸収性繊維及び液体吸収性粒状物以外の液体吸収性素材を含んでいても良い。
【００３６】
吸収体２１の股下部５には、製品幅方向Ｗの両端部の前部３寄りに１対のダーツ部２１１ｆが形成されている。同様に、製品幅方向Ｗの両端部の後部７寄りに１対のダーツ部２１１ｂが形成されている。ダーツ部２１１ｆ及び２１１ｂは、吸収体２１が図１のような略釣りがね形状に切欠かれたくびれ部である。これにより、当該ダーツ部の領域で吸収体２１を折り曲げやすくすると共に、着用者の身体（股下部）に合わせておむつ１を丸く立体的に変形させやすくして、おむつ１を着用する際のフィット性を向上させることができる。なお、当該ダーツ部２１１ｆ及び２１１ｂの形状は図１に示される形状には限られない。
【００３７】
なお、おむつ１では、着用者の股間の中心部と股下部５の中心部とが一致するように股下部５の位置が設定されている。着用者の股間の中心部とは、脚の付け根の中央位置のことであり、製品長手方向Ｌにおいておむつ１の中心位置ＣＬよりも前部側にずれた位置となる（図１参照）。股下部５の中心部がおむつ１の中心位置ＣＬよりも前部側にあることにより、着用者は脚を前側（腹側）に動かしやすくなり、また、おむつ１の後部７の面積を相対的に広くすることで、着用者の臀部をしっかりと覆うことができる。
【００３８】
トップシート２２は、吸収体２１の肌側に配置された液透過性の部材である。防漏シート２３は、吸収体２１の非肌側に配置された液不透過性の部材である。バックシート２４は、おむつ１の非肌側の外装を構成する部材（外装シート）であり、例えば不織布で構成されている。防漏シート２３の非肌側にはバックシート２４が配置されている（図２Ａ〜図２Ｃ参照）。
【００３９】
中央帯状領域１２の股下部５では、吸収体２１とバックシート２４との間に、伸縮フィルム２５が配置されている。伸縮フィルム２５は、股下部５の中央帯状領域１２に伸縮性を付与する部材である。本実施の形態では、製品長手方向Ｌに伸長させた状態で伸縮フィルム２５が取り付けられる。これにより、伸縮フィルム２５は中央帯状領域１２の股下部５に対して製品長手方向Ｌに沿った収縮力を発現する。おむつ１の着用時においては、股下部５が製品長手方向Ｌに沿って収縮することにより、上述のダーツ部２１１ｆ及び２１１ｂと相まって中央帯状領域１２が着用者の身体に沿って丸みを帯びた形状に立体的に変形する。これにより、中央帯状領域１２が着用者の股間部を包み込むような形状で保持されるようになるため、おむつ１のフィット感を向上させつつ、排泄物がおむつ１の外部に漏れることを抑制しやすくなる。
【００４０】
サイドフラップ１４は、おむつ１の製品幅方向Ｗの両側部に位置する部位、すなわち、製品幅方向Ｗにおいて中央帯状領域１２よりも両側側に位置する部位である。サイドフラップ１４は、前部３、股下部５及び後部７にわたって形成されている（図１参照）。股下部５におけるサイドフラップ１４の製品幅方向Ｗの長さ（幅）は、前部３及び後部７におけるサイドフラップ１４の製品幅方向Ｗの長さ（幅）よりも狭い。また、サイドフラップ１４の前部３における製品幅方向Ｗの長さｗｆよりも、サイドフラップ１４の後部７における製品幅方向Ｗの長さｗｂの方が長くなっている（図１参照）。
【００４１】
サイドフラップ１４は、主に、肌側シート２６とバックシート２４から構成されている（図２Ａ〜図２Ｃ参照）。肌側シート２６は、前部３、股下部５及び後部７にわたって形成された肌側の部材であり、例えば不織布で構成されている。肌側シート２６は、レッグサイドギャザー１６（立体ギャザー）を構成する部材でもあり、肌側シート２６の外側の部位（図１の太点線の接合部２６Ａより外側の部位）がサイドフラップ１４を構成する。
【００４２】
一対のサイドフラップ１４には、製品長手方向Ｌに沿って伸縮するレッグギャザー１５（脚回り伸縮部）がそれぞれ設けられている。サイドフラップ１４の肌側シート２６とバックシート２４との間には、製品長手方向Ｌに沿って伸縮する糸ゴム２７が配置されており、当該糸ゴム２７が股下部５の肌側シート２６及びバックシート２４に伸縮性を付与することによって、レッグギャザー１５が構成される。なお、サイドフラップ１４と糸ゴム２７については、後に詳述する。
【００４３】
レッグサイドギャザー１６は、脚繰りの隙間からの液漏れを防ぐための立体ギャザーである。一対のレッグサイドギャザー１６は、前部３、股下部５及び後部７にわたって製品長手方向Ｌに沿って形成されている（図１参照）。レッグサイドギャザー１６は、サイドフラップ１４の内側で中央帯状領域１２の両縁を覆うように形成されている。
【００４４】
レッグサイドギャザー１６は、主に肌側シート２６の内側の部位から構成されている（図２参照）。肌側シート２６（レッグサイドギャザー１６）は、中央帯状領域１２とサイドフラップ１４との間の接合部２６Ａで製品長手方向Ｌに沿って接合されている（図１の太点線）。肌側シート２６の接合部２６Ａよりも内側の領域が、接合部２６Ａを支点１６ａにしてレッグサイドギャザー１６（立体ギャザー）を構成する（すなわち、支点１６ａの位置は、製品幅方向Ｗにおいて、中央帯状領域１２とサイドフラップ１４との境界位置と一致している）。つまり、レッグサイドギャザー１６（立体ギャザー）は、支点１６ａと当該支点１６ａよりも製品幅方向Ｗ内側に位置する内側頂点１６ｂとを有し、支点１６ａから内側頂点１６ｂまでの間の部分（肌側シート２６）が支点１６ａから立ち上がるようになっている。
【００４５】
また、支点１６ａから内側頂点１６ｂまでの間の部分のうちの支点寄り部分１６ｃの肌側シート２６の層数と、内側頂点寄り部分１６ｄの肌側シート２６の層数は、互いに異なっている。すなわち、内側頂点寄り部分１６ｄにおいては、肌側シート２６が折り返されているため、前記層数は２層となっている。そして、当該２層に挟まれるようにして、糸ゴム等の伸縮部材が設けられている。したがって、股下部５の肌側シート２６の内縁は伸縮性を有している。一方で、支点寄り部分１６ｃは、一層のみの肌側シート２６からなっている。
【００４６】
ウェストギャザー１８は、後部７において製品幅方向Ｗに沿って配置された胴回り伸縮部である（図１参照）。後部７では、吸収体２１とバックシート２４との間に、ウェストギャザーフィルム２８が配置されている（図２Ｃ参照）。ウェストギャザーフィルム２８は、製品幅方向Ｗに沿って伸縮する帯状の伸縮部材である。ウェストギャザーフィルム２８がバックシート２４等に伸縮性を付与することによって、ウェストギャザー１８が構成される。ウェストギャザーフィルム２８の製品幅方向Ｗの長さは、吸収体２１よりも長い。このため、ウェストギャザー１８は、吸収体２１から製品幅方向Ｗの外側にも突出して形成されている。なお、ウェストギャザー１８が設けられていなくても良い。
【００４７】
ファスニングテープ３０は、後部７のサイドフラップ１４（具体的には、後述する後部突出部１４ｂ）に取り付けられている（図１参照）。サイドフラップ１４を構成する肌側シート２６とバックシート２４との間にファスニングテープ３０の一部が挟み込まれることによって（図２Ｃ参照）、ファスニングテープ３０が取り付けられている。
【００４８】
前部３には、ターゲットテープ２９が設けられている（図１参照）。ターゲットテープ２９は、前部３のバックシート２４の非肌側に配置されている（図２Ａ参照）。ターゲットテープ２９は、ファスニングテープ３０と係合可能な部材であり、例えば不織布で形成されている。ターゲットテープ２９は、ファスニングテープ３０を係合させるターゲット領域を構成する。なお、バックシート２４の非肌側にターゲットテープ２９を配置する代わりに、バックシート２４の最外層の不織布にターゲット領域を形成しても良い。
【００４９】
そして、図３及び図４に示すように、ファスニングテープ３０を、ターゲットテープ２９に又は他方のファスニングテープ３０に係合させることによって、おむつ１を着用させることになる。
【００５０】
本実施の形態の低体重児用のおむつ１の製品長手方向Ｌの製品長（製品を長手方向に皺なく伸長させた状態での寸法）は、２１０〜３３０ｍｍの範囲である。例えば、体重２５００ｇ未満の低出生体重児用のおむつ１の製品長は３１０ｍｍであり、体重１５００ｇ未満の極低出生体重児用のおむつ１の場合の製品長は２７０ｍｍであり、体重１０００ｇ未満の超低出生体重児用のおむつ１の場合の製品長は２３０ｍｍである。
【００５１】
また、本実施の形態の低体重児用のおむつ１のウェスト寸法は、１６０〜２９５ｍｍの範囲である。なお、ウェスト寸法は、一方のファスニングテープ３０の端部を他方のファスニングテープ３０のフックシート領域のサイドフラップ１４側の端部に合わせた状態で、皺なく製品を伸ばした状態での寸法である。すなわち、製品を幅方向に伸長させた状態での寸法である。例えば、低出生体重児用のおむつ１のウェスト寸法は２７３．５ｍｍであり、体重１５００ｇ未満の極低出生体重児用のおむつ１の場合のウェスト寸法は２２０ｍｍである。
【００５２】
＜本実施の形態に係るサイドフラップ１４の構成について＞
図５は、本実施の形態に係るサイドフラップ１４及びその周辺の構成を説明する概略平面図である。上述したように、本実施の形態のサイドフラップ１４は、製品長手方向Ｌに沿った縦長の部位であり、主に、肌側シート２６及びバックシート２４によって構成されている。
【００５３】
サイドフラップ１４の前部３には、製品幅方向Ｗ外側に向かって突出した前部突出部１４ｆが設けられている。この前部突出部１４ｆにおいては、製品幅方向Ｗにおいて最も外側の端が、製品長手方向Ｌに沿っている。すなわち、前部突出部１４ｆは、製品長手方向Ｌに沿った前部最外端１４ｆａを備えている。同様に、サイドフラップ１４の後部７には、製品幅方向Ｗ外側に向かって突出した後部突出部１４ｂが設けられている。この後部突出部１４ｂにおいては、製品幅方向Ｗにおいて最も外側の端が、製品長手方向Ｌに沿っている。すなわち、後部突出部１４ｂは、製品長手方向Ｌに沿った後部最外端１４ｂａを備えている。後部突出部１４ｂにはファスニングテープ３０が設けられ、当該ファスニングテープ３０によって着用者の胴回りにおいて後部突出部１４ｂが前部突出部１４ｆと重ね合わされるようにして固定される。
【００５４】
サイドフラップ１４の前部突出部１４ｆと後部突出部１４ｂとの間の製品幅方向Ｗの外側端部領域は、おむつ１の脚回り開口部を形成する端縁部１４Ｌｇとなっている。本実施の形態の端縁部１４Ｌｇは、股下部５を中心として前部３から後部７にわたって形成され、製品幅方向Ｗの外側に凸となった複数の凸部と製品幅方向Ｗの外側に凹となった複数の凹部とが交互に繰り返される蛇行状の形状である。図５において、端縁部１４Ｌｇの股下部５には凸部１４５ａ及び凹部１４５ｂがそれぞれ複数形成されている。同様に、端縁部１４Ｌｇの前部３には凸部１４３ａ及び凹部１４３ｂがそれぞれ複数形成され、端縁部１４Ｌｇの後部７には凸部１４７ａ及び凹部１４７ｂがそれぞれ複数形成されている。
【００５５】
図６は、本実施の形態に係るサイドフラップ１４の端縁部１４Ｌｇについて拡大して表した図である。端縁部１４Ｌｇは、股下部５の領域において５つの凸部１４５ａと５つの凹部１４５ｂとを有する。凸部１４５ａ及び凹部１４５ｂはそれぞれ所定の曲率で緩やかなカーブを描く、所謂Ｒ形状であり、例えばＲ＝６ｍｍ〜１０ｍｍ程度の曲率で形成されている。本実施の形態では、５つの凸部１４５ａがそれぞれ同じ曲率で形成され、５つの凹部１４５ｂもそれぞれ同じ曲率で形成されている。つまり、股下部５の領域に形成される凹凸は全て同じ形状である。
【００５６】
また、凸部１４５ａ及び凹部１４５ｂは、製品長手方向Ｌに沿ってそれぞれ直線的な位置関係となるように配置されている。つまり、端縁部１４Ｌｇの股下部５の領域において５つの凹部１４５ｂの凹部頂点１４５ｄはそれぞれ製品幅方向Ｗの同じ位置であり、図６に示されるように、製品長手方向Ｌに沿った同一の直線上に位置している。同様に、５つの凸部１４５ａの凸部頂点１４５ｃもそれぞれ製品幅方向Ｗの同じ位置であり、製品長手方向Ｌに沿った同一の直線上に位置している。このように、端縁部１４Ｌｇは、股下部５において、製品幅方向Ｗ外側に凸となった凸部１４５ａと製品幅方向Ｗ外側に凹となった凹部１４５ｂとが製品長手方向Ｌにおいて交互に繰り返される蛇行状の（長手方向）蛇行状部分を備えている。図６では、凹部頂点１４５ｄと凸部頂点１４５ｃとの製品幅方向Ｗにおける頂点間距離がｗ１の長さとなっている。ｗ１の長さは、例えば２ｍｍ程度である。
【００５７】
なお、凸部１４５ａ及び凹部１４５ｂの形状や大きさ、配置数等は図５や図６に示される例には限られず、おむつ１の着用対象やサイズの違いに応じて適宜変更可能である。
【００５８】
図５で、端縁部１４Ｌｇの前部３の領域には２つの凸部１４３ａと２つの凹部１４３ｂとが形成されている。凸部１４３ａ及び凹部１４３ｂは、それぞれ凸部１４５ａ及び凹部１４５ｂと略同様の構成である。但し、前部３の領域においては、凸部１４３ａ及び凹部１４３ｂによる蛇行形状が製品長手方向Ｌに沿って形成されてなくても良い。すなわち、製品長手方向Ｌに対して端縁部１４Ｌｇの蛇行形状が傾いていたり曲がっていたりしても良い。
【００５９】
端縁部１４Ｌｇの後部７の領域には３つの凸部１４７ａと３つの凹部１４７ｂとが形成されている。当該領域においては、端縁部１４Ｌｇは、製品長手方向Ｌの後部側に行くにしたがって製品幅方向Ｗの外側に広がり、製品長手方向Ｌに対して斜めの蛇行形状となっている。つまり、端縁部１４Ｌｇは、後部７において、製品幅方向Ｗ外側に凸となった凸部１４７ａと製品幅方向Ｗ外側に凹となった凹部１４７ｂとが製品長手方向Ｌに対して斜めの方向において交互に繰り返される蛇行状の非長手方向（斜め方向）蛇行状部分を備えている。換言すれば、端縁部１４Ｌｇは、前述した後部最外端１４ｂａのうち製品長手方向Ｌにおいて最も前部側の前部側端１４ｂｂと、前記長手方向蛇行状部分との間に、当該非長手方向蛇行状部分を備えている。なお、図６に示されるように、後部７の領域に設けられる３つの凸部１４７ａ及び凹部１４７ｂは、それぞれ形状（曲率や大きさ）が異なっている。
【００６０】
サイドフラップ１４が、主として肌側シート２６及びバックシート２４によって構成されていることについては既に説明したが、サイドフラップ１４の一部分には、前述した防漏シート２３も設けられている。防漏シート２３は、図１に示すように、矩形形状（矩形形状の長手方向が、製品長手方向Ｌにそった矩形形状）を備えており、防漏シート２３の製品幅方向Ｗにおける外側端部は、中央帯状領域１２からはみ出してサイドフラップ１４へ至っている。したがって、防漏シート２３の製品幅方向Ｗにおける最も外側の端は、製品幅方向Ｗにおいて、中央帯状領域１２とサイドフラップ１４との境界（換言すれば、レッグサイドギャザー１６の支点１６ａ）よりも外側に位置している。
【００６１】
すなわち、サイドフラップ１４は、防漏シート２３が設けられた防漏シート設置部１４ｃと、防漏シート設置部１４ｃよりも製品幅方向Ｗ外側に位置する防漏シート非設置部１４ｄと、を備えている。そして、防漏シート設置部１４ｃと防漏シート非設置部１４ｄとの境界１４ｅ（つまり、防漏シート２３の製品幅方向Ｗにおける最も外側の端）は、前述した凹部頂点１４５ｄよりも製品幅方向Ｗ内側に位置し、また、支点１６ａは、境界１４ｅよりも製品幅方向Ｗ内側に位置している（つまり、製品幅方向Ｗの外側から内側へ向かう方向において、凹部頂点１４５ｄ、境界１４ｅ、支点１６ａの順に設けられている）。なお、本実施の形態においては、凹部頂点１４５ｄと境界１４ｅとの製品幅方向Ｗにおける頂点境界間距離ｗ２は、前述した頂点間距離ｗ１の２倍以上となっている。
【００６２】
＜本実施の形態に係る糸ゴム２７の構成について＞
上述した通り、サイドフラップ１４には、糸ゴム２７が設けられ、当該糸ゴム２７が股下部５の肌側シート２６及びバックシート２４に伸縮性を付与することによってレッグギャザー１５が構成されている。
【００６３】
ここでは、糸ゴム２７について、図５及び図６を参照しつつ、さらに詳しく説明する。糸ゴム２７は、おむつ１の着用時において、脚回り開口部に伸縮性を付与する伸縮部材である。すなわち、糸ゴム２７は、おむつ１の脚繰り部を着用者の脚に合わせてフィットさせる脚回り弾性部材である。また、糸ゴム２７は、製品長手方向Ｌに沿って伸縮する線状の伸縮部材である。すなわち、糸ゴム２７は、その長手方向が製品長手方向Ｌに沿うように設けられている。糸ゴム２７は、製品長手方向Ｌに沿って伸長させた状態で肌側シート２６等に接合されている。したがって、おむつ１を着用する際には脚回り開口部を収縮させる方向に伸縮力が作用する。
【００６４】
糸ゴム２７は、製品幅方向Ｗにおいて、股下部５における蛇行状部分よりも内側に設けられている。換言すれば、糸ゴム２７は、前述した凹部頂点１４５ｄよりも製品幅方向Ｗ内側に設けられている。さらには、糸ゴム２７は、製品幅方向Ｗにおいて、凹部頂点１４５ｄから、前記頂点間距離ｗ１だけ内側に位置する内側位置（図６において、符号Ｌ１で示された二点鎖線）、又は、該内側位置よりもさらに内側に設けられている。
【００６５】
このように、糸ゴム２７を、内側位置Ｌ１又は内側位置Ｌ１よりもさらに内側に設けた理由について、図７を用いて説明する。図７は、本実施の形態に係る糸ゴム２７の配置により生ずる優位性を説明するための第一説明模式図である。図８は、本実施の形態に係る糸ゴム２７の配置により生ずる優位性を説明するための第二説明模式図である。なお、図７においては、図７の左図が、図７の右図を白矢印の方向から見た図となっている。同様に、図８においては、図８の左図が、図８の右図を白矢印の方向から見た図となっている。本実施の形態に係るおむつ１においては、端縁部１４Ｌｇを蛇行形状とすることにより、おむつ着用時の不快感を軽減させることができるようになっている。
【００６６】
すなわち、仮に、端縁部が直線状である場合には、おむつ１の脚回り開口部において着用者の肌と直接接触する「エッジ」となる部分が生ずるため、直線状のエッジが肌に押し付けられることによって、エッジ部分の形状がそのまま痕として残りやすくなる。そして、このことが着用者に不快感を与える原因となる。これに対し、端縁部１４Ｌｇを蛇行形状としたため、エッジ部分の長さが長くなり、端縁部１４Ｌｇに作用する力が分散され、着用者の肌に痕が残りにくくなる。そのため、おむつ着用時の不快感を軽減させ、良好な肌触りを提供することができる。
【００６７】
さらには、端縁部１４Ｌｇが蛇行形状とされ、蛇行状部分の製品幅方向Ｗ内側に糸ゴム２７が設けられているため、端縁部１４Ｌｇ（蛇行状部分）には糸ゴム２７の収縮力が働いている。そのため、端縁部１４Ｌｇ（蛇行状部分）には、収縮力に起因したしわ（皺）が発生し、このしわ（皺）を稜線とした山部が生じ得る。そして、この山部が肌に当たってクッション効果を肌に与えるため、良好な肌触りが得られることとなる。
【００６８】
例えば、図７の右図に示すように、糸ゴム２７を、製品幅方向Ｗにおいて、凹部頂点１４５ｄに設けた場合には、糸ゴム２７の収縮力により、凸部頂点１４５ｃから製品幅方向Ｗ内側へと伸びた長さｗ１の（頂点間距離と同じ長さの）しわ（皺）ができる。そして、図７の左図に示すように、当該しわ（皺）を稜線とした山部が生じ得る。山部が肌に当たると、着用者は良好な肌触りを得る。
【００６９】
ここで、図７の例においては、糸ゴム２７を凹部頂点１４５ｄに設けたが、糸ゴム２７を凹部頂点１４５ｄから製品幅方向Ｗ内側へ離すと、図８に示すように、別のしわ（皺）、すなわち、凹部頂点１４５ｄから製品幅方向へと伸びたしわ（皺）が発生し、このしわ（皺）を稜線（この稜線を、図７の稜線と区別するため、凹部稜線と呼び、図７の稜線を凸部稜線と呼ぶ）とした山部が生じ得る。そして、この山部も、肌に当たることで良好な肌触りを着用者に提供することができる。
【００７０】
しかしながら、糸ゴム２７を凹部頂点１４５ｄから離す程度が小さいと、しわ（稜線）の長さが短すぎて、十分なクッション効果が得られない。そこで、本実施の形態においては、凹部稜線の長さを少なくとも凸部稜線の長さ（すなわち、頂点間距離ｗ１）並みの長さとして、凸部稜線を有する山部並みのクッション効果を、凹部稜線を有する山部に与えるべく、糸ゴム２７を、凹部頂点１４５ｄから頂点間距離ｗ１だけ内側に位置する内側位置Ｌ１、又は、該内側位置Ｌ１よりもさらに内側に設けることとした。そのため、本実施の形態においては、凸部稜線を有する山部のみならず、凹部稜線を有する山部によっても、十分なクッション効果が得られ、良好な肌触りを有するおむつ１を提供することが可能となる。
【００７１】
なお、上述した山部の稜線（図７や図８の左図に示した山部の頂点）は、肌側へ向く（肌に対向する）場合と、非肌側へ向く場合とがある（どちらへ向くかについては、ランダムに発生する）。そして、肌側へ向いた際に、上述したクッション効果が発現することとなる。
【００７２】
また、本実施の形態においては、図６に示すように、糸ゴム２７が、製品幅方向Ｗにおいて、凹部頂点１４５ｄと、防漏シート設置部１４ｃと防漏シート非設置部１４ｄとの境界１４ｅの間に設けられている。すなわち、糸ゴム２７は、サイドフラップ１４のうち防漏シート２３が存在しない防漏シート非設置部１４ｄに設けられている。したがって、糸ゴム２７は、肌側シート２６とバックシート２４との間に挟持されていることとなる。そして、糸ゴム２７は、製品幅方向Ｗにおいて、凹部頂点１４５ｄと境界１４ｅの製品幅方向Ｗにおける真ん中と境界１４ｅとの間に設けられている。換言すれば、糸ゴム２７は、製品幅方向Ｗにおいて、防漏シート非設置部１４ｄの凹部頂点１４５ｄ寄りではなく境界１４ｅ寄りに位置している。そのため、糸ゴム２７が凹部頂点１４５ｄからさらに離され、より長い凹部稜線を有する山部を生成することが可能となる。したがって、より適切なクッション効果を肌に与えることができ、より一層良好な肌触りを有するおむつ１を提供することが可能となる。
【００７３】
また、糸ゴム２７の製品長手方向Ｌにおける位置について考察すると、図６に示すように、糸ゴム２７の後部７側の端２７ａは、製品長手方向Ｌにおいて、前述した前部側端１４ｂｂよりも後部側かつファスニングテープ３０よりも前部側に位置している（つまり、図５においてＬ２で示す範囲に位置している）。つまり、前部側端１４ｂｂを越えるまで糸ゴム２７を延ばして配置するようにしている。
【００７４】
このように、端２７ａを、前部側端１４ｂｂよりも後部側かつファスニングテープ３０よりも前部側に位置させた理由について説明する。前述したとおり、端縁部１４Ｌｇは、前部側端１４ｂｂと、長手方向蛇行状部分との間に、非長手方向蛇行状部分を備えている。そのため、端２７ａを前部側端１４ｂｂよりも後部側に位置させれば、すなわち、前部側端１４ｂｂを越えるまで糸ゴム２７を延ばして配置するようにすれば、非長手方向蛇行状部分に設けられた凹部１４７ｂについても凹部稜線を有する山部を作り出すことができるので、より適切なクッション効果を肌に与えることができ、より一層良好な肌触りを有するおむつ１を提供することが可能となる。また、端２７ａをファスニングテープ３０よりも前部側に位置させることで、ファスニングテープ３０に余計なしわ（皺）ができることが回避され、ファスニングテープ３０の機能が損なわれることを防止することが可能となる。
【００７５】
また、図６に示すように、糸ゴム２７の前部３側の端２７ｂは、製品長手方向Ｌにおいて、前述した前部最外端１４ｆａのうち製品長手方向Ｌにおいて最も後部側の後部側端１４ｆｂよりも後部側に位置している（つまり、図５においてＬ３で示す範囲に位置している）。つまり、後部側端１４ｆｂを越えるまで糸ゴム２７を延ばさないようにしている。
【００７６】
このように、端２７ｂを、後部側端１４ｆｂよりも後部側に位置させた理由について説明する。前述したとおり、前部３には、ファスニングテープ３０と係合するターゲットテープ２９が設けられている。しかしながら、ユーザーがファスニングテープ３０を操作する際には、必ずしもターゲットテープ２９に係合させるとは限らず、後部側端１４ｆｂよりも製品長手方向Ｌにおいて前部側の領域が、ファスニングテープ３０を係合させる可能性がある領域（以下、便宜上、係合可能領域と呼ぶ）となる。そのため、端２７ｂを後部側端１４ｆｂよりも後部側に位置させれば、係合可能領域に余計なしわ（皺）ができることが回避され、ファスニングテープ３０の機能が損なわれることを防止することが可能となる。
【００７７】
＝＝＝第二実施形態に係る使い捨ておむつについて＝＝＝
次に、第二実施形態に係るおむつ１について、図９を用いて説明する。図９は、図５に対応した図であり、第二実施形態に係るサイドフラップ１４及びその周辺の構成を説明する概略平面図である。
【００７８】
第二実施形態に係るおむつ１の、上述した実施形態（以下、第一実施形態と呼ぶ）との唯一の相違点は、糸ゴム２７の製品幅方向Ｗにおける位置である（なお、糸ゴム２７の製品長手方向Ｌにおける位置は、第一実施形態と相違していない）。第二実施形態においても、第一実施形態と同様、糸ゴム２７は、製品幅方向Ｗにおいて、凹部頂点１４５ｄから、前記頂点間距離ｗ１だけ内側に位置する内側位置、又は、該内側位置よりもさらに内側に設けられている。そのため、第二実施形態においても、第一実施形態と同様、凸部稜線を有する山部のみならず、凹部稜線を有する山部によっても、十分なクッション効果が得られ、良好な肌触りを有するおむつ１を提供することが可能となるという前述した効果が奏される。
【００７９】
一方で、第一実施形態においては、糸ゴム２７が、製品幅方向Ｗにおいて、凹部頂点１４５ｄと、防漏シート設置部１４ｃと防漏シート非設置部１４ｄとの境界１４ｅの間に設けられていたのに対し、第二実施形態においては、糸ゴム２７が、製品幅方向Ｗにおいて、当該境界１４ｅとレッグサイドギャザー１６の前述した支点１６ａの間に設けられている。すなわち、第一実施形態においては、糸ゴム２７が防漏シート非設置部１４ｄに設けられていたのに対し、第二実施形態においては、防漏シート設置部１４ｃに設けられている。
【００８０】
そのため、以下に説明する優位性が生ずる。前述した通り、レッグサイドギャザー１６は、脚繰りの隙間からの液（つまり、おむつ１内に排泄された尿や便等の排泄物）漏れを防ぐ役割を果たす。したがって、当該排泄物が、製品幅方向Ｗにおける外側へ移動する際には、レッグサイドギャザー１６が、当該移動をブロックすることにより、排泄物が前述した支点１６ａを越えないようにしている。
【００８１】
さらに、糸ゴム２７（換言すれば、レッグギャザー１５）は、第二のブロック部材としての機能を備えている。すなわち、レッグサイドギャザー１６は、排泄物の製品幅方向Ｗ外側への移動をブロックするが、仮にブロックできずに排泄物が支点１６ａを越えて製品幅方向Ｗ外側へ移動しまったとしても、糸ゴム２７が排泄物の移動を止めることができるようになっている。このように、二重の仕組みにより、前記隙間からの液漏れが防止されるようになっている（糸ゴム２７の方は、念のための機能である）。
【００８２】
ここで、第二実施形態においては、糸ゴム２７が、製品幅方向Ｗにおいて、境界１４ｅと支点１６ａの間に設けられているので、製品幅方向Ｗにおける糸ゴム２７、支点１６ａ間には、防漏シート２３が存在する。そのため、排泄物が、第一のブロック部材である支点１６ａ（レッグサイドギャザー１６）を越えて製品幅方向Ｗ外側へ移動したとしても、第二のブロック部材である糸ゴム２７（レッグギャザー１５）までの間に、防漏シート２３が存在するため、排泄物は、漏れることなく糸ゴム２７に到達し、糸ゴム２７でブロックされることとなる。したがって、第二実施形態によれば、液漏れを適切に防止することが可能となる。
【００８３】
＝＝＝第三実施形態に係る使い捨ておむつについて＝＝＝
次に、第三実施形態に係るおむつ１について、図１０を用いて説明する。図１０は、図５や図９に対応した図であり、第三実施形態に係るサイドフラップ１４及びその周辺の構成を説明する概略平面図である。
【００８４】
第三実施形態に係るおむつ１の、第一実施形態や第二実施形態との唯一の相違点は、糸ゴム２７の製品幅方向Ｗにおける位置である（なお、糸ゴム２７の製品長手方向Ｌにおける位置は、第一実施形態や第二実施形態と相違していない）。第三実施形態においても、第一実施形態及び第二実施形態と同様、糸ゴム２７は、製品幅方向Ｗにおいて、凹部頂点１４５ｄから、前記頂点間距離ｗ１だけ内側に位置する内側位置、又は、該内側位置よりもさらに内側に設けられている。そのため、第三実施形態においても、第一実施形態及び第二実施形態と同様、凸部稜線を有する山部のみならず、凹部稜線を有する山部によっても、十分なクッション効果が得られ、良好な肌触りを有するおむつ１を提供することが可能となるという前述した効果が奏される。
【００８５】
一方で、第二実施形態においては、糸ゴム２７が、製品幅方向Ｗにおいて、境界１４ｅと支点１６ａの間、すなわち、支点１６ａよりも外側に設けられていたのに対し、第三実施形態においては、糸ゴム２７が、製品幅方向Ｗにおいて、支点１６ａよりも内側に設けられている。
【００８６】
そのため、以下に説明する優位性が生ずる。すなわち、第三実施形態においては、脚回り伸縮部であるレッグギャザー１５を構成する糸ゴム２７が、レッグサイドギャザー１６の支点１６ａよりも内側に設けられている。したがって、レッグサイドギャザー１６の支点１６ａが脚回り伸縮部であるレッグギャザー１５を構成する糸ゴム２７よりも外側に位置することとなり、レッグサイドギャザー１６の様子をおむつ１の脚回り開口部を覗き込むようにして外部から適切に目視確認することが可能となる。そのため、おむつ１が着用された状態で、着用者を不用意に動かさずに、排泄物のチェックが行えるようになる。
【００８７】
特に、着用者が体重３０００ｇ以下の低体重児の場合には、着用者に排便障害が生じ易く浣腸などによる排便誘導が積極的に行われる。さらに、着用者が当該低体重児の場合には、当然のことながら、ミニマムハンドリングの要請が高くなる。そのため、かかる場合には、おむつ１が着用された状態で、着用者を不用意に動かさずに、排泄物のチェックが行えることの意義がより大きくなる。
【００８８】
さらに、第三実施形態においては、既述（第一実施形態において説明）の通り、レッグサイドギャザー１６の支点１６ａから内側頂点１６ｂまでの部分のうちの支点寄り部分１６ｃが、一層のみのシート（肌側シート２６）からなっている。
【００８９】
支点寄り部分１６ｃは、便などが排泄されたときに、最初に（換言すれば、内側頂点寄り部分１６ｄよりも先に）、排泄物が見える場所である。そのため、当該支点寄り部分１６ｃを一層のみのシートとすることにより、便などの排泄物の色が透けて見やすくなり、排泄物のチェックがより一層容易に行えるようになる。
【００９０】
また、第三実施形態においては、支点１６ａと内側頂点１６ｂとの製品幅方向Ｗにおける支点内側頂点間距離ｗ３は、支点１６ａと凸部頂点１４５ｃとの製品幅方向Ｗにおける支点凸部頂点間距離ｗ４よりも大きくなっている。
【００９１】
そのため、レッグサイドギャザー１６（の内側頂点１６ｂ）を、支点１６ａを起点にして、製品幅方向Ｗ外側に倒した際に、レッグサイドギャザー１６が前述した端縁部１４Ｌｇ（蛇行状部分）を飛び出すこととなる。したがって、このような形態でおむつ１が着用された際には、端縁部１４Ｌｇよりも外側に飛び出す部分が、レッグサイドギャザー１６の少なくとも一部分に生ずるため、当該一部分は特に排泄物が見え易い場所となる（逆に、支点内側頂点間距離ｗ３が支点凸部頂点間距離ｗ４よりも小さい場合には、端縁部１４Ｌｇよりも外側に飛び出す部分が生じず、このような場所がないため、排泄物が見えにくくなる）。そのため、排泄物のチェックがより一層容易に行えるようになる。
【００９２】
なお、第三実施形態においては、糸ゴム２７を製品幅方向Ｗにおいて支点１６ａよりも内側に設けたため、第二実施形態とは異なり、糸ゴム２７は、排泄物が支点１６ａ（第一のブロック部材）を越えてしまった際の第二のブロック部材としての機能を有さない。しかしながら、第二のブロック部材としての機能は、前述したとおり、念のための機能であるから、省略する選択も考えられる。
【００９３】
また、糸ゴム２７を支点１６ａよりも内側に設けた場合であっても、糸ゴム２７は、第二のブロック部材としての機能は果たさないものの、当該内側において排泄物の移動をブロックする。また、第三実施形態においては、糸ゴム２７の伸張倍率（つまり、糸ゴム２７をおむつ１に取り付ける際に何倍に伸ばして取り付けるか）を、レッグサイドギャザー１６の伸縮部材の伸張倍率よりも大きくしている（具体的には、前者が２．４倍に対し後者が２．０倍）ので、液漏れ防止能力をそれほど落とさない工夫が成されている。
【００９４】
＝＝＝その他＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【００９５】
また、上記実施の形態においては、伸縮部材として糸ゴム２７を例に挙げて説明したが、これに限定されるものではない。例えば、伸縮部材が伸縮シートであることとしてもよい。すなわち、伸縮部材である伸縮シート（具体的には、伸縮シートが製品幅方向Ｗにおいて幅を有する部材であれば、当該伸縮シートのうちの最も外側に位置する部分）が、製品幅方向Ｗにおいて、凹部頂点１４５ｄから、前記頂点間距離ｗ１だけ内側に位置する内側位置、又は、該内側位置よりもさらに内側に設けられていることとしてもよい。
【００９６】
ただし、伸縮部材が、糸ゴム２７である場合には、伸縮シートに比べて、おむつ１への接合面積が最小で済むため、肌触りへの影響も最小にすることができる。つまり、伸縮部材が伸縮シートである場合には、伸縮シートが肌に当たる感覚が顕著に生ずるため、肌触りについて違和感が生ずる可能性があるが、糸ゴム２７である場合には、このような感覚を最小限にすることができる。そのため、より一層良好な肌触りを有するおむつ１を提供することが可能となる。
【符号の説明】
【００９７】
１  おむつ、
３  前部、５  股下部、７  後部、
１２  中央帯状領域、
１４  サイドフラップ、
１４Ｌｇ  端縁部、
１４ｂ  後部突出部、１４ｂａ  後部最外端、１４ｂｂ  前部側端、
１４ｃ  防漏シート設置部、１４ｄ  防漏シート非設置部、１４ｅ  境界、
１４ｆ  前部突出部、１４ｆａ  前部最外端、１４ｆｂ  後部側端、
１５  レッグギャザー、
１６  レッグサイドギャザー、１６ａ  支点、１６ｂ  内側頂点、
１６ｃ  支点寄り部分、１６ｄ  内側頂点寄り部分、
１８  ウェストギャザー、
２１  吸収体、
２２  トップシート、２３  防漏シート、２４  バックシート、 ２５  伸縮フィルム、
２６  肌側シート、２６Ａ  接合部、
２７  糸ゴム、２７ａ  端、２７ｂ  端、
２８  ウェストギャザーフィルム、
２９  ターゲットテープ、３０  ファスニングテープ、
１４３ａ  凸部、１４３ｂ  凹部、
１４５ａ  凸部、１４５ｂ  凹部、１４５ｃ  凸部頂点、１４５ｄ  凹部頂点、
１４７ａ  凸部、１４７ｂ  凹部、
２１１ｂ  ダーツ部、２１１ｆ  ダーツ部、
Ｌ  製品長手方向、Ｗ  製品幅方向、
ＣＬ  中心位置、Ｌ１  内側位置、
ｗ１  頂点間距離、ｗ２  頂点境界間距離、
ｗ３  支点内側頂点間距離、ｗ４  支点凸部頂点間距離
【要約】
【課題】良好な肌触りを有する使い捨ておむつを提供する。
【解決手段】長手方向と、前記長手方向と交差する幅方向と、を有した使い捨ておむつであって、液体を吸収する吸収体と、前記幅方向の両側部に位置するサイドフラップと、前記長手方向に沿って伸縮する伸縮部材と、を有し、前記サイドフラップの前記幅方向外側の端縁部は、前記幅方向外側に凸となった凸部と前記幅方向外側に凹となった凹部とが前記長手方向において交互に繰り返される蛇行状の蛇行状部分を備え、前記伸縮部材は、前記幅方向において、前記凹部の凹部頂点から、前記凹部頂点と前記凸部の凸部頂点との前記幅方向における頂点間距離だけ内側に位置する内側位置、又は、該内側位置よりもさらに内側に設けられていることを特徴とする。
【選択図】図６【図１】
0005701437.tif 000002
【図２】
0005701437.tif 000003
【図３】
0005701437.tif 000004
【図４】
0005701437.tif 000005
【図６】
0005701437.tif 000006
【図７】
0005701437.tif 000007
【図８】
0005701437.tif 000008
【図５】
0005701437.tif 000009
【図９】
0005701437.tif 000010
【図１０】
0005701437.tif 000011